(57)【要約】  実質的に円柱形の飲料容器であって、容器端部（２）が、容器（１）へと気密に封じられ、出入り口（５）を定める容器端部（２）の表面の切り取り線（４）および隆起（６）を備えている。さらに、製造時に取り付けることができ、あるいは消費者によって取り付けることができる開封装置（３）が設けられる。
2009515782.tif 000002
【特許請求の範囲】
【請求項１】
容器本体と、
容器端部と、
開封装置と、を備えており、
前記容器端部は、前記容器本体へと封じられるとともに、切り取り線による出入り口を有しており、
前記開封装置は、前記容器端部に対して回転可能であって、前記開封装置の回転によって前記容器端部へと力が伝達され、前記切り取り線による出入り口が開かれる容器。
【請求項２】
前記容器端部は、１つ以上の隆起を有しており、
前記開封装置は、第１の位置と第２の位置との間で前記容器本体部材に対して回転可能であり、
前記開封装置は、当該開封装置の前記容器本体に対する前記第２の位置への回転が前記隆起によって制限されるよう、前記第１の位置にあるときに前記隆起を収容するように構成された凹所を下面に有しており、
前記開封装置へと加えられる回転力が、前記切り取り線による出入り口を開くために前記容器端部へと伝達される、請求項１に記載の容器。
【請求項３】
前記開封装置が前記容器本体に対して回転し、容器の中身を大気から一時的に絶縁する目的で開封装置と前記容器端部との間にシールが形成されて維持される第３の位置を備えている、請求項１または２に記載の容器。
【請求項４】
前記開封装置は、容器の中身の送出を助けるために前記容器端部の出入り口の上方の位置へと回転させることができるポートがあらかじめ形成されている、請求項１〜３のいずれか一項に記載の容器。
【請求項５】
前記開封装置のポートは、容器内部への異物の進入を制限しかつ容器からの流体の送出を可能にするための穴あきのふるいを備えている、請求項４に記載の容器。
【請求項６】
前記開封装置は、当該開封装置を回転させて前記容器端部の表面の選択された領域を見え隠れさせることができるよう、１つ以上の開口を備えている、請求項１〜５のいずれか一項に記載の容器。
【請求項７】
前記容器端部は、表面の装飾を備えており、前記開封装置の前記１つ以上の開口が前記表面の装飾に重なるときに、該表面の装飾を視認することができる、請求項６に記載の容器。
【請求項８】
前記表面の装飾は、メッセージ、指示、および／または像を含んでいる、請求項７に記載の容器。
【請求項９】
前記容器端部は、前記開封装置が回転するときに聴覚メッセージまたは音響効果を発するための手段を備えている、請求項１〜８のいずれか一項に記載の容器。
【請求項１０】
前記容器端部は、前記出入り口を完全には画定しておらず、出入り口を開いたときに、容器端部の出入り口内の部位が、容器端部へと部分的に付着したままである、請求項１〜９のいずれか一項に記載の容器。
【請求項１１】
前記容器端部の前記切り取り線による出入り口は、該出入り口を完全に画定しており、出入り口を開いたときに、前記容器端部の出入り口内の部位が、容器端部から分離する、請求項１〜１０のいずれか一項に記載の容器。
【請求項１２】
前記開封装置は、前記容器端部へと接続され、該容器端部に対して回転可能である、請求項１〜１１のいずれか一項に記載の容器。
【請求項１３】
前記開封装置は、前記容器端部に恒久的に取り付けられ、該容器端部に対して回転可能である、請求項１２に記載の容器。
【請求項１４】
前記開封装置は、前記第１の位置において前記容器端部に一時的に取り付けられ、該容器端部に対して回転可能であり、前記第２の位置において前記容器本体から分離される、請求項１２に記載の容器。
【請求項１５】
前記開封装置は、容器の縁または前記容器端部の中央において容器へと取り付けられ、前記容器の縁または容器端部の中央に対して回転可能である、請求項１３または１４に記載の容器。
【請求項１６】
前記容器端部の周囲の縁を備えており、
前記開封装置は、前記容器端部を覆うように配置され、前記容器の縁の下方への係合によって一時的に取り付けられた状態へと回転することができ、容器端部に対して回転することができる、請求項１〜１５のいずれか一項に記載の容器。
【請求項１７】
前記容器の縁は、クリンプされ、曲げられ、ギザギザにされ、さらに／あるいは前記開封装置を容器の縁に係合させるための表面をもたらす隆起を備えている、請求項１６に記載の容器。
【請求項１８】
容器本体と、
容器端部と、
開封装置と、を備えており、
前記容器端部は、前記容器本体へと封じられるとともに、切り取り線による出入り口を有しており、
前記開封装置は、前記容器端部に対して回転可能であって、前記開封装置の回転によって前記容器端部へと力が伝達され、前記切り取り線による出入り口が開かれ、
前記開封装置は、ユーザによって所定の位置に保持されたときに、前記容器端部へと接続可能であって、該容器端部に対して回転可能である容器。
【請求項１９】
前記切り取り線による出入り口は、前記容器端部の相当量の領域を完全に分離させることができ、
前記開封装置は、開封行為の後に前記容器端部の分離した部分を取り除くことができるよう、容器端部へと接続手段を介して接続することができ、
前記接続手段は、吸引カップ、磁石、クリップ、または他の一時的な取り付けを含んでいる、請求項１８に記載の容器。
【請求項２０】
前記開封装置は、一時的な取り付けを解除して、前記分離した端部を解放する手段を備えている、請求項１９に記載の容器。
【請求項２１】
一時的な取り付けを解除する前記手段は、吸引バルブ、回転または揺動する磁石、ならびに／あるいはレバーを含んでいる、請求項２０に記載の容器。
【請求項２２】
前記開封装置は、前記容器端部を完全に覆うように構成され、前記容器端部の縁に当接して開封装置と容器端部の縁との間に一時的なシールを生み出すシールを下面に備えている、請求項１〜２１のいずれか一項に記載の容器。
【請求項２３】
前記開封装置は、穴を含んでいる小さな領域を除いて前記容器端部を完全に覆うように構成され、前記容器端部の縁に当接して開封装置と容器端部の縁との間に一時的なシールを生み出すシールを下面に有しており、前記開封装置が所定の位置にあるとき、容器の中身の液体を送出できかつ固体の中身を容器内に保持できる、請求項１〜２１のいずれか一項に記載の容器。
【請求項２４】
前記容器端部は、前記開封装置が容器端部に対して回転するときに開封装置によって容器端部へと力を伝達できるようにするための隆起を上面に備えている、請求項１〜２３のいずれか一項に記載の容器。
【請求項２５】
前記隆起は、前記容器内部から離れるように延びており、あるいは該容器内部に向かって延びている、請求項１〜２４のいずれか一項に記載の容器。
【請求項２６】
前記開封装置は、該開封装置が前記容器内部に対して回転するときに前記容器端部へと力を伝達して、前記切り取り線による出入り口を破って容器を開封する少なくとも１つのカムを備えている、請求項１〜２５のいずれか一項に記載の容器。
【請求項２７】
前記開封装置または該開封装置の構成要素は、前記開封装置の回転の行為の際に前記容器端部に向かって降下する、請求項１〜２６のいずれか一項に記載の容器。
【請求項２８】
前記容器本体は、前記開封装置または該開封装置の構成要素の降下を案内するための斜めのガイドを備えている、請求項２７に記載の容器。
【請求項２９】
前記切り取り線による出入り口は、前記容器端部の内面または外面に配置されている、請求項１〜２８のいずれか一項に記載の容器。
【請求項３０】
金属、金属合金、プラスチック、剛な生物分解性材料、またはこれらの組み合わせから製造された、請求項１〜２９のいずれか一項に記載の容器。
【請求項３１】
スズ、鋼、および／またはアルミニウムで製造された、請求項３１に記載の容器。
【請求項３２】
前記容器端部と前記切り取り線による出入り口との間の継ぎ目は、前記切り取り線による出入り口が破れたときに該切り取り線による出入り口の下方への変位を促すように輪郭付けられている、請求項１〜３１のいずれか一項に記載の容器。
【請求項３３】
前記切り取り線による出入り口は、開封の行為の際に該切り取り線による出入り口の異なる部位間の相対移動を可能にするための複数の切り取り線を備えている、請求項１〜３２のいずれか一項に記載の容器。
【請求項３４】
前記線は、互いに接続され、あるいは別個独立である、請求項３３に記載の容器。
【請求項３５】
前記切り取り線は、前記容器端部において、前記開封装置が回転するにつれて前記切り取り線の破れが順次生じるように配向されている、請求項３３または３４に記載の容器。
【請求項３６】
前記切り取り線は、開封の行為の際に前記切り取り線による出入り口の各領域が前記容器端部からの分離の後に互いに重なり合って、切り取り線による出入り口の直径を減少させるように配向されている、請求項３３〜３５のいずれか一項に記載の容器。
【請求項３７】
前記開封装置が前記容器端部の周りを回転する際に、開封装置を容器端部に対して指定の位置に位置決めするため、容器端部および開封装置に配置された位置決め部をさらに備えている、請求項１〜３６のいずれか一項に記載の容器。
【請求項３８】
前記位置決め部は、指定の位置に達したことを明らかにするために、ユーザに圧力変化のフィードバックを提供する、請求項３７に記載の容器。
【請求項３９】
前記フィードバックは、可聴音を含んでいる、請求項３８に記載の容器。
【請求項４０】
前記容器および前記容器端部は、容器の梱包の行為の際に封じられ、前記開封装置が、別個の構成部品である、請求項１〜３９のいずれか一項に記載の容器。
【請求項４１】
前記容器本体を取り巻く連続的な切り取り線の下方の前記容器本体の外表面に隆起を備えている、請求項１〜４０のいずれか一項に記載の容器。
【請求項４２】
食料品を収容している、請求項１〜４１のいずれか一項に記載の容器。
【請求項４３】
飲料を収容している、請求項１〜４１のいずれか一項に記載の容器。
【請求項４４】
商品を収容している、請求項１〜４３のいずれか一項に記載の容器。
【請求項４５】
前記１つ以上の隆起は、半球形、ピラミッド形、または立方形である、請求項２〜４４のいずれか一項に記載の容器。
【請求項４６】
前記開封装置は、容器をギアリング（ｇｅａｒｉｎｇ）する前の前記第１の位置において前記１つ以上の隆起を収容するための開口を備えている、請求項２〜４５のいずれか一項に記載の容器。
【請求項４７】
前記容器は、開いた後の前記切り取り線による出入り口を再び封じるためのシール手段を備えている、請求項１〜４６のいずれか一項に記載の容器。
【請求項４８】
前記シール手段は、前記容器端部に配置されている、請求項４７に記載の容器。
【請求項４９】
前記シール手段は、圧縮可能な材料を含んでいる、請求項４７または４８に記載の容器。
【請求項５０】
容器の中身の送出を助けるための注ぎ口をさらに備えている、請求項１〜４９のいずれか一項に記載の容器。
【請求項５１】
前記出入り口は、異物の進入を制限するように寸法付けられた複数の穴を備えている、請求項１〜５０のいずれか一項に記載の容器。
【請求項５２】
容器を開くべく前記開封装置が回転したときに変形可能である前記出入り口の上方に配置されたいたずら防止シールをさらに備えている、請求項１〜５１のいずれか一項に記載の容器。
【請求項５３】
前記開封装置は、いたずら防止シールを有している、請求項５２に記載の容器。
【請求項５４】
前記いたずら防止シールは、前記開封装置に一体に形成されている、請求項５３に記載の容器。
【請求項５５】
前記いたずら防止シールは、第１および第２の構成要素を備えており、前記第１の構成要素が前記容器端部に配置され、前記第２の構成要素が前記開封装置に配置されている、請求項５２〜５４のいずれか一項に記載の容器。
【請求項５６】
開封可能に封じられた出入り口を一端に備えている容器本体と、
前記開封可能に封じられた出入り口を開封するための手段と、を備えており、
前記手段は、前記容器本体へと回転可能に取り付けることができ、前記開封手段の回転によって前記出入り口が開かれる容器。
【請求項５７】
前記開封手段が、開封装置を含んでいる、請求項４４に記載の容器。
【請求項５８】
請求項１〜５７のいずれか一項に記載の開封可能に封じられた容器および開封装置を含んでいる部品キット。
【発明の詳細な説明】
【技術分野】
【０００１】
本発明は、密封容器の端部を開封する改善された方法、および消費者が必要とする場合に上記端部を再び一時的に封じる手段に関する。
【背景技術】
【０００２】
食品容器および飲料容器は、多くの場合、カップ状の金属製またはプラスチック製の本体と、別個の金属製の端部（蓋とも称される）とで形成される。あるいは、そのような容器は、端部の開いた円柱および２つの端部で構成される。中身を詰める際に、本体および端部が恒久的に接合され、密封容器が形成される。消費者は、容器の端部を開くことによって中身にアクセスする。
【０００３】
食品および飲料容器は、プルリングを操作することによって開封するのが一般的であり、プルリングは、容器の端部へと取り付けられ、切り取り線による開口部の付近または内側に位置している。プルリングを引き上げる行為によって、力が切り取り線による開口部の一部へと導かれ、容器の端部に割れ目が生じる。プルリングを引き上げ続けることで、切り取り線による開口部のカバーが容器の内部へと押し込まれ、あるいは端部の一部を、切り取り線による開口部によって定められるとおりに完全に取り去ることができる。
【０００４】
中身への上述のアクセス方法において知られている問題は、新たに生み出される開口によって、あるいは食品容器の場合には、容器端部の取り外された部位によって、容器の使用者が切り傷の危険にさらされる点にある。そのような怪我は、容器の開封行為の最中または開封後に生じうる。これには、特には飲料容器の場合において、特には年少の子供の場合に、消費者が飲料を消費する際に唇を切ってしまう危険を挙げることができる。他の怪我の危険は、プルリングが早まって端部から外れてしまった後で、消費者が、あまり考えることなく適当な鋭い物体を使用してプルリング式の容器を開封しようと企てる場合である。
【０００５】
また、特には食品容器において、消費者が、開封行為の際に、特には端部の一部を取り外す最終の段階において、予想される負傷の危険に悩まされる可能性が示唆されている。そのような負傷の予想が、消費者を不必要に不安にさせる可能性がある。不安は、消費者が食品容器を途中まで開封し、その開封行為が中身にアクセスするために十分であると判断し、完全に取り外したならば負傷や中身のこぼれにつながりかねないと判断することで、しばしば露わになる。途中までの開封は、容器の中身にアクセスするときには明らかな利点を有しているが、容器において容器端部の鋭い一部が高く突き出すことになり、消費者が別途に容器を清掃された状態でリサイクルすることを選択し、あるいはそのように義務づけられている場合に、長期にわたって危険を呈する可能性がある。
【０００６】
さらに、プルリングは、爪が長い場合には操作が難しく、したがってプルリング式容器を開封する行為は、爪を長く保つこと、または合成の付け爪を装着することを選択している消費者に、不必要な不安および美容上の損害をもたらす可能性もある。
【０００７】
容器、特には飲料容器において知られている他の問題は、再度の封止が難しい点にある。初期の種類の飲料容器においては、プルリングおよび開口部の板が容器の端部から取り外されることで、栓、ストッパ、またはコルク状のシールを押し込むことができる障害物のない一様な開口がもたらされていた。より最近の種類のプルリングでは、切り取り線による開口部の板およびリングが容器の端部へとつながったままであり、開いた開口への栓、ストッパ、またはコルクの挿入を妨げている。
【０００８】
飲料容器の開封行為の際に生じる飲料容器の開口は、大気に対して無防備に開かれていて、消費されたならば不都合な結果となりうる飲料容器への虫、薬物、などといった異物の進入または挿入を制限することができない容器を、消費者に提供している。
【発明の開示】
【発明が解決しようとする課題】
【０００９】
本発明の目的は、従来技術に関する問題の１つ以上を克服または軽減することにある。
【課題を解決するための手段】
【００１０】
本発明の第１の態様によれば、容器本体、容器端部、および開封装置が提供され、容器端部が、容器本体へと封じられるとともに、切り取り線による出入り口を備えており、開封装置が、容器端部に対して回転し、開封装置の回転によって容器端部へと力が伝達され、切り取り線による出入り口が開かれる。
【００１１】
任意により、容器本体と、１つ以上の隆起および切り取り線による出入り口を備える容器端部と、開封装置とが提供され、開封装置が、第１の位置と第２の位置との間で容器本体部材に対して回転可能であり、開封装置は、第１の位置にあるときに、開封装置の容器本体に対する第２の位置への回転が隆起によって制限されるよう、隆起を収容するように構成された凹所を下面に有しており、開封装置へと加えられる回転力が、切り取り線による出入り口を開くために容器端部へと伝達される。
【００１２】
１つ以上の隆起は、例えば半球形、ピラミッド形、または立方形、など、任意の適切な形状であってよい。好ましくは、隆起は半球形である。
【００１３】
１つ以上の隆起は、容器端部の表面の任意の適切な位置に配置可能である。切り取り線による出入り口を開くべく開封装置によって容器端部へと十分な力を伝達できるように、１つ以上の隆起について理想的な位置を決定することは、当業者にとって明らかであろう。
【００１４】
任意により、開封装置に、開封装置を容器端部に対して回転させることによって達成できる第３の回転位置が用意され、この第３の回転位置において、容器の中身を大気から一時的に絶縁する目的のために、開封装置と容器端部との間にシールが形成されて維持される。
【００１５】
任意により、開封装置に、中身の送出を助けるために容器端部の出入り口の上方の位置へと回転させることができるポートをあらかじめ形成することができる。
【００１６】
任意により、開封装置のポートは、容器内部への異物の進入を制限しかつ容器からの流体の送出を可能にするための穴あきのふるいを備えることができる。
【００１７】
任意により、開封装置を、開封装置が容器端部に対して回転させられる際に容器端部の表面の選択された領域を見え隠れさせるような方法で構成することができ、容器端部が、容器端部における開封装置の相対位置に応じて視認することができるメッセージ、指示、または像を含んでいる。
【００１８】
任意により、容器端部は、開封装置を容器端部に対して回転させる行為の際に聴覚メッセージまたは音響効果を生み出すように設計および構成された電子装置を含むことができる。
【００１９】
任意により、開封装置が、開封装置を容器端部に対して回転させる行為の際に聴覚メッセージまたは音響効果を生み出すように設計および構成された電子装置を含むことができる。
【００２０】
任意により、容器端部の切り取り線による出入り口は、出入り口を完全には定めておらず、したがって出入り口を開いたときに、容器端部の出入り口内の部位が、容器端部へと部分的に付着したままである。
【００２１】
任意により、容器端部の切り取り線による出入り口が、出入り口を完全に定めており、したがって出入り口を開いたときに、容器端部の出入り口内の部位が、容器端部から分離する。
【００２２】
任意により、開封装置は、容器端部へと取り付けられ、容器端部に対して回転可能である。
【００２３】
任意により、開封装置は、容器端部の中央において容器端部へと恒久的に取り付けられ、容器端部に対して回転可能である。
【００２４】
任意により、開封装置は、容器端部の中央において容器端部へと一時的に取り付けられ、容器端部に対して回転可能である。
【００２５】
任意により、開封装置は、容器の縁において容器へと恒久的に取り付けられ、容器端部に対して回転可能である。
【００２６】
任意により、開封装置は、容器の縁において容器へと一時的に取り付けられ、容器端部に対して回転可能である。
【００２７】
任意により、開封装置を、容器端部を覆うように配置して、容器の縁の下方への係合による一時的な取り付けの状態へと回転させることができ、容器端部に対して回転させることができる。容器の縁を、クリンプする（ｃｒｉｍｐ）ことができ、曲げることができ、あるいはギザギザにする（ｃｒｅｎｕｌａｔｅ）ことができ、もしくは容器の縁に、開封装置を容器の縁の内側または外側の外面に係合させるための表面をもたらす隆起を取り付けることができる。
【００２８】
任意により、開封装置が、容器端部へと取り付けられず、ユーザによって所定の位置に保持されたときに容器端部に対して回転可能である。
【００２９】
任意により、容器端部の相当量の領域を完全に分離させることができる切り取り線による出入り口が設けられている容器端部に関して、開封装置に、開封行為の後に容器端部の分離した部分を取り除くことができるよう、容器端部への一時的な取り付けが設けられ、そのような取り付けは、吸引カップ、磁石、クリップ、または他の一時的な取り付けで構成される。
【００３０】
任意により、容器端部の相当量の領域を完全に分離させることができる切り取り線による出入り口が設けられている容器端部に関して、開封装置に、開封行為の後に容器端部の分離した部分を取り除くことができるよう、容器端部への一時的な取り付けが設けられ、そのような取り付けは、吸引カップ、磁石、クリップ、または他の一時的な取り付けで構成され、さらに開封装置に、一時的な取り付けを解除して、端部の分離した部分を解放する手段が設けられる。
【００３１】
任意により、開封装置は、容器端部を完全に覆うように構成され、容器端部の縁に当接して開封装置と容器端部の縁との間に一時的なシールを生み出すシールを下面に備えている。
【００３２】
任意により、開封装置は、穴を含んでいる小さな領域を除いて容器端部を完全に覆うように構成され、容器端部の縁に当接して開封装置と容器端部の縁との間に一時的なシールを生み出すシールを下面に備えており、開封装置が所定の位置にあるとき、容器の中身の液体を送出できかつ固体の中身を容器内に保持できる。
【００３３】
任意により、容器端部は、開封装置が容器端部に対して回転させられるときに開封装置によって容器端部へと力を伝達できるようにするための隆起を上面に備えている。隆起は、缶の内部から離れるように延びていても、あるいは開封装置が相応に設計される場合には、容器内部に向かって延びていてもよい。
【００３４】
任意により、開封装置は、開封装置が容器内部に対して回転させられるときに容器端部へと力を伝達する１つ以上のカムを含んでおり、これらのカムは、容器端部を変位させて切り取り線の破れを生じさせるべく容器端部の選択された表面にわたって一様に力を伝達することができ、あるいは切り取り線を破るため、容器端部との狭い接触点に力を集中させる、または接触点において破れるように容器端部へと力を伝達することができる。
【００３５】
任意により、開封装置または開封装置の構成要素が、開封装置の容器端部に対する回転の行為の際に、容器端部へと力を伝達するために容器端部に向かって降下する。降下は、斜めのガイド（ねじ山の形式）を設けることによって、開封装置の全体について制御および確立できる。外側部分を回転させる行為によって内側部分の構成要素が下方へと降下させられる２部品構成のオープナを利用することによって、開封装置の構成要素を容器端部に向かって降下させることも可能である。
【００３６】
任意により、将来のポートを定めている切り取り線は、容器端部の内面または外面にあってよい。
【００３７】
任意により、容器端部を、例えば鋼またはアルミニウムなどの金属から形成することができる。
【００３８】
任意により、開封装置を、例えば金属、プラスチック、または剛な生物分解性材料、あるいはこれら材料の組み合わせから形成することができる。
【００３９】
任意により、存在するのであれば、容器端部と切り取り線によるポートとの間の継ぎ目を、切り取り線が破れたときに切り取り線によるポートの下方への変位を促すように輪郭付けることができる。
【００４０】
任意により、容器端部の切り取り線を、開封の行為の際に切り取り線による出入り口の異なる部位間の相対移動を可能にするための２つ以上の切り取り線で構成できる。これらの線は、互いに接続されていても、別個独立であってもよい。複数の切り取り線が設けられる場合には、開封装置を、最初に小さな破れによって缶の内部の圧力を大気圧に等しくし、最終的に切り取り線による開口を容器端部から分離させるため、切り取り線の破れが指定の順序で生じるように構成することができる。
【００４１】
任意により、切り取り線による出入り口の各領域が、容器端部からの分離の後に互いに重なり合って、１つ以上の方向について切り取り線による出入り口部分の直径を減少させるよう、容器端部の切り取り線を、開封の行為の際に切り取り線による出入り口の異なる部位間の相対移動を可能にするための２つ以上の切り取り線で構成できる。
【００４２】
任意により、開封装置が容器端部を巡って回転する際に開封装置を容器端部に対して指定の位置に位置決めするうえで役立つ位置決め部が、容器端部および開封装置に設けられる。
【００４３】
任意により、開封装置が容器端部を巡って回転する際に開封装置を容器端部に対して指定の位置に位置決めするうえで役立つ位置決め部が、容器端部および開封装置に設けられ、指定の位置に達したことを明らかにするために、ユーザに圧力変化のフィードバックを提供する。
【００４４】
任意により、開封装置が容器端部を巡って回転する際に開封装置を容器端部に対して指定の位置に位置決めするうえで役立つ位置決め部が、容器端部および開封装置に設けられ、指定の位置に達したことを明らかにするために、ユーザに聴覚によるフィードバックを提供する。
【００４５】
任意により、容器および容器端部が、容器の梱包の行為の際に封じられ、容器が、封じられた状態で、互換の開封装置を備えずに消費者へと流通させられる。
【００４６】
任意により、開封装置は、再使用可能な装置であって、互換の容器とは別個に流通させられる。
【００４７】
任意により、開封装置は、いくつかの異なる直径の容器端部へと取り付けられるように構成された再使用可能な装置である。
【００４８】
任意により、隆起を、容器本体を取り巻く連続的な切り取り線の下方の容器の壁の外表面に配置することができ、切り取り線を開いて開封装置、容器の縁、および容器端部の除去を可能にするように開封の行為の際に隆起と相互作用できる環状の開封装置が設けられる。
【００４９】
本発明の第２の態様によれば、開封可能に封じられた出入り口を一端に有している容器本体と、前記開封可能に封じられた出入り口を開封するための手段とを有している容器であって、前記手段を、前記容器本体へと回転可能に取り付けることができ、開封手段の回転によって出入り口が開かれる容器が提供される。
【００５０】
開封手段は、好ましくは開封装置を含んでいる。
【００５１】
本発明の第３の態様によれば、上述のような開封可能に封じられた容器および開封装置を含んでいる部品キットが提供される。
【００５２】
次に、本発明を、以下の図面を参照しつつ、あくまで例として説明する。
【発明を実施するための最良の形態】
【００５３】
図１〜５は、容器端部２が容器１へと気密に封じられている実質的に円柱形の飲料容器を示しており、容器端部２に、出入り口５を定める容器端部２の表面の切り取り線４および隆起６が設けられている。さらに、製造時に取り付けることができ、あるいは消費者が取り付けることができる開封装置３が設けられている。この例では、開封装置３は、容器端部２の立ち上がり縁８を把持する開封装置３の突起７によって、容器端部２上の所定の位置に保持されている。開封装置３を、飲料容器１の長手軸を中心とする回転によって、容器端部２の平面において回転させることができ、運動は、縁８によって案内される。開封装置３は、ポート９および隆起６を受け入れるための下面の凹所１０を含んでいる。図３ａは、開封装置３が、最初に図１ａおよび１ｂに示されているように取り付けられたときには、容器端部２の隆起６に直接的に力を加えることがないように構成されている旨を示している。この場合、隆起６は、図３ａ〜ｃおよび図５に示されているように、開封装置３の下面の対応する凹所１０に収容されている。凹所１０は、開封装置３の閉じたくぼみの形態をとることができ、あるいは開封装置３の平面を完全に貫く穴の形態をとることができる。図３ｂは、消費者が開封装置３を徐々に回転させることで、開封装置３が隆起６に接触し、開封装置３によって隆起６へと力が加えられることを示している。この実施形態においては、加えられる力によって、切り取り線４に破れが生じ、典型的には、容器端部２において前もって出入り口５として定められた部位が下方へと曲げられ、ポート１１が生み出される。図３ｃは、開封装置３の回転を続けることで、隆起６が容器１の内部へとさらに押し下げられ、もはや隆起６が容器端部２の上面の上方に残らない旨を示している。図３ｄは、開封装置３のさらなる回転によって、前もって形成されていた開封装置３のポート９がポート１１の上方の位置へと移動する旨を示している。開封装置３の回転の方向は、開封装置３のポート９に対する容器端部２のポート１１の位置に応じて決まる。例えばゴムなどといった適切な圧縮可能材料を使用することによって、容器端部２の上部と開封装置３の下面との間に密なシール１２が維持される。図３ｄにおいては、シール１２が、図５に示されるような連続リングの断面として示されているが、シール１２は、任意により、ポート９に対応する開口が設けられたシートの形態をとってもよい。図５においては、シール１２が、開封装置３へと取り付けられて示されているが、シール１２を、任意により、容器端部２へと取り付けてもよい。図３ｅは、開封装置３をさらに回転させることで、シール１３によって境界付けられた開封装置３の中実領域１４がポート１１の上方の位置に移動し、容器の中身を大気から隔てる旨を示している。開封装置３の回転の方向は、開封装置３の中実領域１４に対する容器端部２のポート１１の位置に応じて決まる。密なシール１３が、例えばゴムなどといった適切な圧縮可能材料を使用することによって、容器端部２の上部と開封装置３の下面との間に維持される。図３ｅにおいては、シールが、図５に示されるような連続リングの断面として示されているが、シール１３も同様に、シートであってよい。図５においては、シール１３が開封装置３へと取り付けられて示されているが、図３ｄに詳しく示されているシール１２が、開封装置３にではなく容器端部２へと取り付けられる場合には、開封装置の中実領域１４がポート１１の上方へと回転させられたときに、シール１２が容器の中身を大気から隔てる目的に機能するため、シール１３を任意により省略することができる。
【００５４】
開封装置３のポート９は、必要であれば、快適な飲用に好都合であるように、注ぎ口を生じるように、あるいは例えばストローモジュール、飲み口、または細長い注ぎ口などといった新たな対象との係合のための接続具を受け入れるように、形作ることができる。任意により、図６に示されているように、ポート９を、開放状態の際の容器１への例えば虫または錠剤などの異物の進入または挿入を制限し、しかしながらポート１１およびポート９を通って容器１の中身を送出できるよう、典型的には複数の穴１５で構成できる。出入り口５がポート１１の生成時に容器端部２から完全に分離する場合には、図６に詳しく示したようなポート９のふるいを、分離した出入り口５が送出されて摂取されることがないようにするためにも使用することができる。
【００５５】
任意により、ポート９のポート１１の上方への正確な配置を、缶の縁８または容器端部２の位置決め部１６および開封装置３の対応する位置決め部１７によって補助することができる。位置決め部１６および１７は、くぼみまたは隆起の形態をとることができる。図７は、容器端部２および開封装置３の断面を示しており、この例では、位置決め部１７に、単純なばねを生み出す隆起の周囲の細長い溝によって、垂直方向に移動する手段がもたらされている。同様に、位置決め部１７が、ばねで付勢されて、容器端部２または縁８へと接触するボールまたはブロックの形態をとってもよい。あるいは、位置決め部は、開封装置３の回転を許容しつつ、必要な容器の状態をもたらすために開封装置を容器端部２の上方の正確な位置へと位置合わせしようとするユーザを補佐する任意の形態をとることができる。図７に詳しく示した例においては、図８に示すようないたずら防止シール１８を、任意により開封装置３の上面に設けることができる。いたずら防止シール１８は、開封装置３を回転させる行為の際に、開封装置３が容器端部２に対して回転させられたときに、位置決め部１７の隆起が容器端部２の上面上を移動すべく位置決め部１６の凹所から出るときに位置決め部１７が開封装置の平面に対して上昇することによって、変形または破れを生じる。したがって、いたずら防止シール１８は、開封装置３が容器端部２に対して回転させられたか否かを、明らかにすることができる。いたずら防止シール１８を、開封装置３へと貼り付けることができ、破れ、色の変化、などによって外乱を明らかにすることができる任意の材料から形成することができる。あるいは任意により、いたずら防止シール１８を開封装置３に一体化し、開封装置３と同じ材料で形成し、しかしながら位置決め部１７が開封装置３の残りの部分に対して垂直方向に動いたときにせん断されるように設計することが可能である。
【００５６】
図９〜１１は、例えば食品容器での使用における本発明の具体的実施形態を示しており、容器端部２に、将来の出入り口５を定める切り取り線４、ならびに切り取り線４によって完全に囲まれたいくつかの隆起６が設けられている。さらに、消費者によって容器端部２の上部と縁８とを覆うように取り付けることができる開封装置３が示されている。開封装置３を、容器１の長手軸を中心とする回転によって、容器端部２の平面において運動させることができ、運動は、縁８によって案内される。図１０は、開封装置３の下面を示しており、開封装置３の下面には、開封装置３が図１１に示されているとおり所定の位置にあるとき、容器端部２へと力を加えることなく隆起６を収容する凹所１０が設けられている。図９ｃは、縁９に密に接するように保持されつつユーザによって回転させられる開封装置３を示しており、この際に、開封装置３が隆起６に接触し、開封装置３によって隆起６へと力が加えられる。この実施形態においては、加えられる力によって切り取り線４の破れが生じ、容器端部２のうちのあらかじめ出入り口５として定められていた部分が下方へとたわめられ、ポート１１が生み出される。図９ｄは、開封後の各部品の互いの分離を示しており、形成されたポート１１を通って容器１の中身にアクセスできることを示している。図１０〜１１は、縁８の上面に対して押し付けられるように設計され、例えばゴムなどの適切な材料から製造される開封装置３の下面の任意によるシール１９を示している。この特徴は、もし設けられたならば、開封装置３が図１０の例に示されているように容器端部２を完全に囲む場合に、容器１の中身を一時的に保存するために容器端部２を再び覆うことを可能にする。さらに図１０および１１は、開封装置３の凹所１０が異なる寸法およびオフセットである本発明の任意による実施形態を示しており、この特徴によれば、開封装置３の容器端部２に対する回転の異なる段階において異なる隆起６へと力を加えることができ、切り取り線４は、開封装置３の容器端部２に対する回転の異なる段階において容器端部２の異なる領域へと力が加えられるときの切り取り線による出入り口５の相対の垂直移動に対応するために、図１０に示した切り取り線以外のさらなる切り取り線を含むことができる。
【００５７】
図１２および１３は、図９〜１１に示した実施形態の一変種を示しており、開封装置３が、下面に隆起２０を有しており、隆起２０が、開封装置の回転の際に隆起６を介して容器端部２へと力を加え、図９〜１１について説明したとおりポート１１を生成する。
【００５８】
図１４〜１６は、例えば食品容器での使用における本発明の実施形態の好ましい特徴を示しており、すでに図９〜１３に示した他の特徴、または本明細書において後述される他の特徴と組み合わせることが可能である。ポート１１を生成するために開封装置３によって容器端部２から出入り口５を分離するとき、分離した出入り口５を容器１から取り除く手段を設けることが好都合である。これを達成する１つの方法は、容器１の開封に先立って確立される出入り口５と開封装置３との間の接続の使用である。この例では、鋼製の容器端部において、磁石２１が、一時的な接続を確立するために使用される。磁石２１は、開封装置３が容器端部２を巡って回転させられる開封工程の際に出入り口５に付着し、開封装置３を取り去るときに容器１から取り除かれる。一時的な接続を確立する他の多数の方法、ならびに開封装置３および出入り口５を除去した後に、出入り口５の廃棄および開封装置３の再使用を可能にすべく上記接続を解除する方法を考えることができ、そのような方法としては、これらに限られるわけではないが、機械的なリンク、磁力、または吸引を挙げることができる。
【００５９】
開封装置３が再使用可能でなくてもよい場合には、容器１からの出入り口５の除去を、例えば容器端部２の上面の中央へとスポット溶接されたピン２２および開封装置３の中央の対応するクリップ２３など、機械的なリンクを使用して開封装置を出入り口５へと恒久的に接続することによって保証することができる。これは、図１７〜１８に示されており、上述のように出入り口５を分離させることによって、出入り口５および開封装置３の両者を取り除くことが可能である。恒久的な接続の方法および開封装置３の形態は、所望の結果を達成する任意の方法および形態であってよい。図１９〜２１は、出入り口５と一緒に容器１から分離する恒久取り付けの開封装置３の別の変種を示しており、この変種は、リベット２４によって容器端部２へと取り付けられ、容器端部２を巡って回転して隆起６へと力を加え、加えられる力によって出入り口５が開かれて、ポート１１が生み出される。
【００６０】
図２２は、開封装置３が容器端部２および縁８を覆って取り付けられる本発明の実施形態を示している。開封装置３が、外周を巡って一連の突起７を有しており、縁８が、一連の縁の切り欠き２６および縁の隆起２７を有しており、開封装置３の突起７を縁８の切り欠きに対応させることによって、開封装置３を容器端部２を覆って取り付けることができる。開封装置３をわずかに回転させることで、突起７が縁の隆起２７の下方に係合し、開封装置３が縁８の上部に密に当接して保持される。開封装置３をさらに回転させることによって、あるいは取り付けの手順を逆にすることによって、開封装置３を取り除くことができ、開封装置３をさらに回転させた場合、好ましい実施形態においては、容器端部２を開くことにもつながる。
【００６１】
図２３は、開封装置３が流体を通すことができる開口２８の領域を備えて製造されている本発明の実施形態を示しており、出入り口５の開封後、かつ固体成分の取り出しの前に、容器１の中身を流し出すことができる。
【００６２】
図２４は、開封装置３が容器端部２に対して回転するとともに、回転の際に隆起２０を介して出入り口５へと力を加えるべく容器端部２に向かって降下する本発明の実施形態を示しており、徐々の降下を、縁８によって案内することができる。図示の例は、飲料容器の形式であるが、他の形式の容器にも適用可能である。あるいは、図２５に示されているように、開封装置３の一部分のみを出入り口５に向かって降下させてもよく、これは、開封装置３にカム２９をスタッド３０によって位置を固定して設けることによって達成でき、開封装置３を回転させることによってカム２９が回転し、カム２９が、カム２９の偏心形状ゆえに開封装置３と容器端部２との間のすき間を増加させようとし、開封装置３と容器端部２との間のすき間が保たれるならば、カム２９の回転からの力が出入り口５へと伝達され、切り取り線４が破られて、ポート１１が生成される。開封装置３が容器端部２に対して回転する際のカム２９の回転を、容器端部２の表面上でのカム２９の滑りを食い止めるべく容器端部２に隆起６を備えることによって、あるいはカム２９の表面と容器端部２との間の摩擦を増大させる（一方または両方の表面にコーティングを設ける、カム２９を良好な摩擦または粘着特性を有する材料で製作する、あるいはカム２９および容器端部２の表面の一方または両方に肌理を設ける）ことによって、さらに効率的にすることができる。
【００６３】
図２６ａ〜ｃは、開封装置３を容器端部２に対して回転させる際に見え隠れするメッセージまたは像を、容器端部２において消費者へと提供する本発明の実施形態を示している。図示の実施形態においては、開封装置３に視認窓３１が設けられ、容器端部２にメッセージ３２が設けられている。図２６ｂにおいては、容器１が未開封の状態にあって、視認窓３１が、この場合には、容器端部２の装飾なしの領域を露わにしており、容器１の開封を促進すべく開封装置３を回転させると、図２６ｃに示されているとおりメッセージ３２が見えるようになる。この例は、「インスタントくじ」形式の販売促進であるが、メッセージまたは像は、製造者が容器へと取り入れることを望む任意の機能を提供することができる。
【００６４】
図２７〜２９は、図９ａ〜ｄに示した容器の代替実施形態を示しており、容器が、外周の切り取り線４に加えて、さらなる切り取り線５０、５２、５４をそれぞれ有している。図２７は、切り取り線４から内側へと延びる切り取り線５０を有しており、この切り取り線５０が、容器端部２の半径と中心との間の中間に配置された隆起６の周囲を延びている。図２８は、やはり容器端部２の半径と中心との間の中間に配置された隆起６を有しており、さらに隆起６を実質的に巡って延びる切り取り線５２を有している。図２９は、切り取り線４から内側へと放射状に延びる複数の切り取り線５４を有している。
【００６５】
図３０ａ〜ｃは、隆起６が容器端部２の付近において容器１の外横壁６０に配置されている代替実施形態を示している。切り取り線４が、側壁６０の外周を巡って延びている。密封された状態（図３０ａ）においては、隆起６が、開封装置３の内縁６４を巡って配置された凹所６２に収容されている。開封装置３は、容器の長手軸を中心とする回転変位が、容器端部２を切り取り線４に沿って裂くために十分に凹所６２と隆起６との間の抵抗力に打ち勝つことで、容器を開く（図３０ｃ）ことができるように、容器端部２へと接続される。
【００６６】
図３１ａおよびｂは、開封装置３が容器１の長手軸に直交する平面において枢支軸３８を中心として容器端部２に回転可能に取り付けられている代替実施形態を示している。開封装置３は、容器１の縁８に重なるリップ４０を有している。開封装置３は、リベット２４によって容器端部２へと接続され、隆起６へと力を加えるべく枢支軸３８を中心として回転し、十分な力によって、切り取り線４によって定められた出入り口５が開かれる。開封装置３の下面には、出入り口５を選択的に再封止するために使用できるゴム製のシール５０が配置されている。
【００６７】
図３２ａ〜ｃは、開封装置３がプラスチックから作られ、隆起６が、容器端部２の周辺の一部を巡って延びる半円形である代替実施形態を示している（代替実施形態においては、隆起が容器端部２の外周を巡って延びてもよい）。切り取り線４が、容器端部２を二分し、例えば半固形の食料品を送出できる大きな出入り口をもたらしている。開封装置３は、あらかじめ形成された半円形のポート９を有している。開封装置３は、容器１へと取り付けることができるが、容器１とは別個の実体である。ポート９は、容器端部２を変形させることによって形成されるポート１１の上方の位置へと回転させることができ、容器端部２は、いたずら防止シール１８を有している。
【００６８】
本明細書において開示した実施形態に対して、多数の変形が可能であり、それらが依然として本発明の技術的範囲に包含されることを、当業者であれば理解できるであろう。
【図面の簡単な説明】
【００６９】
【図１ａ】飲料容器において使用するための本発明の実施形態の分解斜視図である。
【図１ｂ】図１ａの組み立て後の斜視図であり、容器は未開封の状態である。
【図１ｃ】図１ａの組み立て後の斜視図であり、開封装置を容器端部に対して回転させた後である。
【図２】図１ａの繰り返しであり、図３ａ〜ｅに詳しく示される容器端部の断面の向きおよび位置を示している。
【図３ａ】切り取り線による出入り口に中心を有する図２に示した線に沿った断面の拡大に関し、容器は図１ｂに示したような未開封の状態にある。
【図３ｂ】切り取り線による出入り口に中心を有する図２に示した線に沿った断面の拡大に関し、容器は、途中まで開封された状態にあり、開封装置は、図３ａに示した位置から図３ｄに示される位置へと向かう回転の最中である。
【図３ｃ】切り取り線による出入り口に中心を有する図２に示した線に沿った断面の拡大に関し、容器は、途中まで開封された状態にあり、開封装置は、図３ｂに示した位置から図３ｄに示される位置へと向かう回転の最中である。
【図３ｄ】切り取り線による出入り口に中心を有する図２に示した線に沿った断面の拡大に関し、容器は、図１ｂに示したような開封状態にあり、容器の中身を送出することができる。
【図３ｅ】切り取り線による出入り口に中心を有する図２に示した線に沿った断面の拡大に関し、容器は、一時的に再び封じられた状態にあり、容器の中身が大気から封じられている。
【図４】容器端部、容器端部の縁、および開封装置の端部を通過する図２によって定められるとおりの断面の詳細を示しており、開封装置の突起と縁との間の関係を詳しく示している。
【図５】開封装置の実施形態の下面の平面図を示している。
【図６】開封装置の別の実施形態の下面の平面図を示している。
【図７】図６の断面を示している。
【図８】いたずら防止シールを所定の位置に備えている開封装置の実施形態の上面の平面図である。
【図９ａ】食品容器において使用するための本発明の実施形態の分解斜視図であり、容器端部の大部分が切り取り線による出入り口を含んでいる。
【図９ｂ】図９ａの組み立て後の斜視図であり、容器は未開封の状態である。
【図９ｃ】図９ｂの組み立て後の斜視図であり、切り取り線による出入り口を開くべく開封装置を容器端部に対して回転させた後である。
【図９ｄ】図９ｃの分解斜視図であり、取り外された切り取り線による出入り口、容器端部に新たに生じたポート、および開封装置が示されている。
【図１０】開封装置の実施形態の下面の平面図であり、図１１に示した断面の線を詳しく示している。
【図１１】図１０の断面であり、図１０に示したような開封装置が未開封の容器上の所定の位置にある場合の容器端部の相補的な断面である。
【図１２】開封装置の実施形態の下面の平面図であり、図１３に示した断面の線を詳しく示している。
【図１３】図１２の断面であり、図１２に示したような開封装置が未開封の容器上の所定の位置にある場合の容器端部の相補的な断面である。
【図１４】開封装置の実施形態の下面の平面図であり、図１５に示した断面の線を詳しく示している。
【図１５】図１４の断面であり、図１４に示したような開封装置が未開封の容器上の所定の位置にある場合の容器端部の相補的な断面である。
【図１６】開封後の図１５の図であり、新たなポートを露わにすべく容器から離れるように持ち上げられた開封装置および容器端部の分離した部分を示している。
【図１７】本発明の実施形態の断面であり、未開封状態の容器端部へと取り付けられた開封装置を示している。
【図１８】開封後の図１７の図であり、新たなポートを露わにすべく容器から離れるように持ち上げられた開封装置および容器端部の分離した部分を示している。
【図１９】本発明の実施形態の上部の平面図であり、未開封の容器端部へと取り付けられた開封装置を示しており、さらに図２０に示した断面の線を詳しく示している。
【図２０】図１９の断面である。
【図２１】開封後の図２０の図であり、新たなポートを露わにすべく容器から離れるように持ち上げられた開封装置および容器端部の分離した部分を示している。
【図２２】食品容器において使用するための本発明の実施形態の分解斜視図であり、容器端部の大部分が切り取り線による出入り口を含んでおり、開封装置が、容器端部を覆うように取り付けられ、回転させられて所定の位置に固定される。
【図２３】食品容器において使用するための本発明の実施形態の分解斜視図であり、開封装置の一部分が、容器の流体成分の除去および固体成分の保持を可能にするための穴を含んでいる。
【図２４ａ】本発明の実施形態の斜視図であり、未開封の容器端部へと取り付けられた開封装置を示しており、さらに図２４ｂに示した断面の線を詳しく示している。
【図２４ｂ】図２４ａの断面である。
【図２４ｃ】本発明の実施形態の斜視図であり、開封された容器端部へと取り付けられている開封装置を示しており、さらに図２４ｄに示した断面の線を詳しく示している。
【図２４ｄ】図２４ｃの断面である。
【図２５】本発明の実施形態における開封装置および容器端部の部分断面であり、開封装置の回転がカムを介して容器端部へと伝達されている。
【図２６ａ】飲料容器において使用するための本発明の実施形態の分解斜視図である。
【図２６ｂ】図２６ａの組み立て後の斜視図であり、容器は未開封の状態である。
【図２６ｃ】図２６ａの組み立て後の斜視図であり、開封装置を容器端部に対して回転させた後である。
【図２７】食料品容器において使用するための本発明の実施形態の分解斜視図である。
【図２８】食料品容器において使用するための本発明の実施形態の分解斜視図である。
【図２９】食料品容器において使用するための本発明の実施形態の分解斜視図である。
【図３０ａ】本発明の実施形態における容器端部へと組み合わせられた開封装置の部分断面である。
【図３０ｂ】本発明の実施形態における容器端部へと組み合わせられた開封装置の部分断面である。
【図３０ｃ】本発明の実施形態における容器端部へと組み合わせられた開封装置の部分断面である。
【図３１ａ】本発明による開封装置の平面図である。
【図３１ｂ】図３１ａの開封装置の線Ｘ−Ｘによる断面である。
【図３２ａ】本発明による容器の図である。
【図３２ｂ】本発明による容器の図である。
【図３２ｃ】本発明による容器の図である。
【図１ａ】
2009515782.tif 000003
【図１ｂ】
2009515782.tif 000004
【図１ｃ】
2009515782.tif 000005
【図２】
2009515782.tif 000006
【図３ａ】
2009515782.tif 000007
【図３ｂ】
2009515782.tif 000008
【図３ｃ】
2009515782.tif 000009
【図３ｄ】
2009515782.tif 000010
【図３ｅ】
2009515782.tif 000011
【図４】
2009515782.tif 000012
【図５】
2009515782.tif 000013
【図６】
2009515782.tif 000014
【図７】
2009515782.tif 000015
【図８】
2009515782.tif 000016
【図９ａ】
2009515782.tif 000017
【図９ｂ】
2009515782.tif 000018
【図９ｃ】
2009515782.tif 000019
【図９ｄ】
2009515782.tif 000020
【図１０】
2009515782.tif 000021
【図１１】
2009515782.tif 000022
【図１２】
2009515782.tif 000023
【図１３】
2009515782.tif 000024
【図１４】
2009515782.tif 000025
【図１５】
2009515782.tif 000026
【図１６】
2009515782.tif 000027
【図１７】
2009515782.tif 000028
【図１８】
2009515782.tif 000029
【図１９】
2009515782.tif 000030
【図２０】
2009515782.tif 000031
【図２１】
2009515782.tif 000032
【図２２】
2009515782.tif 000033
【図２３】
2009515782.tif 000034
【図２４ａ】
2009515782.tif 000035
【図２４ｂ】
2009515782.tif 000036
【図２４ｃ】
2009515782.tif 000037
【図２４ｄ】
2009515782.tif 000038
【図２５】
2009515782.tif 000039
【図２６ａ】
2009515782.tif 000040
【図２６ｂ】
2009515782.tif 000041
【図２６ｃ】
2009515782.tif 000042
【図２７】
2009515782.tif 000043
【図２８】
2009515782.tif 000044
【図２９】
2009515782.tif 000045
【図３０ａ】
2009515782.tif 000046
【図３０ｂ】
2009515782.tif 000047
【図３０ｃ】
2009515782.tif 000048
【図３１ａ】
2009515782.tif 000049
【図３１ｂ】
2009515782.tif 000050
【図３２ａ】
2009515782.tif 000051
【図３２ｂ】
2009515782.tif 000052
【図３２ｃ】
2009515782.tif 000053
【国際調査報告】
2009515782.tif 000054
2009515782.tif 000055
2009515782.tif 000056
2009515782.tif 000057